(57)【特許請求の範囲】
【請求項１】
遊技機の載置が可能な長さを有し、一対が平行に配置されるベースユニットと、前記ベースユニット間を連結する一対の補強枠と、前記ベースユニットを接続して所定の長さにする継ぎ手と、前記ベースユニットに下端が支持されて立設される支柱と、前記補強枠の下方に配置され、床面にアンカー固定されるアンカーベースとを有する遊技機島の支持台であって、
前記支柱は、２本の垂直方向の柱と水平方向のフレームとをコの字状に組み合わせたものであり、
前記ベースユニットは、内面側の対向位置に、前記垂直方向の柱がそれぞれ挿入される一対の切欠状受入部を備え、
前記補強枠の下端に下方から螺着され、下端が前記アンカーベースの上端に当接され、開放された上方側からの回動により、前記補強枠が上下方向に移動するアジャストボルトを有し、
前記アジャストボルトの回動による前記補強枠の上下移動に伴って、前記ベースユニットを上下方向に移動させることを特徴とする遊技機島の支持台。
【請求項２】
前記ベースユニットがコの字状金属部材からなることを特徴とする請求項１に記載の遊技機島の支持台。
【請求項３】
前記アンカーベースに、床面に挿入して支持台を固定するためのアンカーボルトを備えたことを特徴とする請求項１または２に記載の遊技機島の支持台。
【請求項４】
前記支持台は、複数の前記ベースユニットを接続して伸張し、少なくとも、遊技機複数台を支持するだけの長さを有することを特徴とする請求項１から請求項３のいずれかに記載の遊技機島の支持台。
【請求項５】
前記ベースユニットに、トランス台を設けたことを特徴とする請求項１から請求項４のいずれかに記載の遊技機島の支持台。
【請求項６】
前記支柱は、コの字状の基端部をベースユニットの支柱受入部に挿入固定することを特徴とする請求項１から請求項５のいずれかに記載の遊技機島の支持台。
【請求項７】
前記補強枠は、前記ベースユニットと垂直方向に接続され、前記補強枠の両端部に前記アジャストボルトを配置したことを特徴とする請求項１から請求項６のいずれかに記載の遊技機島の支持台。 
【発明の詳細な説明】
【０００１】
【発明の属する技術分野】
本発明は複数の遊技機が配置された遊技機島において、水平方向のレベル出し及び垂直方向のレベル出しが容易な遊技機島を構成する支持台に関する。
【０００２】
【従来の技術】
遊技場において、複数のパチンコ機、スロットマシーン又はスマートボール台のような遊技機を１列又は背面を合わせて２列に配置した遊技機島を構成するのが一般的である。この遊技機島に複数の遊技機を配置、設置するに際しては、各遊技機の水平方向及び垂直方向のレベル出しが必要であるが、この作業は極めて手間の掛かるものとなっており、熟練した技術と長時間亘る作業時間が必要になっている。
【０００３】
通常は、複数の遊技機を一台ずつ水平方向及び垂直方向のレベル出しを行っている。即ち、遊技機１台毎に支持台と支柱を設け、遊技機１台毎に水平方向と垂直方向のレベル出しを行っている。そのために、遊技機島を組み立てるのに多大の労力と作業時間及び熟練した技術が要求されてきた。
【０００４】
また、遊技場の床面に細長い大型のベース支持台を設置する際には、遊技場の床面にはうねりや傾きなどがあるので、ベース支持台の水平方向のレベル出し自身に、更に多大の労力と長時間の作業時間及び熟練した技術を必要としている。たとえ、該ベース支持台の水平方向のレベル出しができたとしても、加えて複数の遊技機を設置して、垂直方向のレベル出しを個別的に調整しなければならなかった。そして、このような調整において、一つの遊技機の設置調整を行うと他の隣接する遊技機の取り付けに影響を及ぼすため、全ての遊技機が均一に調整されるためには作業者の熟練と長い調整時間を必要としていた。
【０００５】
遊技機島を設置するに際して、ベース支持台の水平方向のレベル出し及び支柱の垂直方向のレベル出しを容易にして、遊技機島の設置を効率よく進めるために、ベース支持台や支柱の構造に関し、種々の工夫がなされてきた。しかしながら、未だこれらの問題を解決した充分に設置効率の高いベース支持台や支柱は見出されていないのが現状である。
【０００６】
例えば、特開平２０００−１４９１４には、遊技機の設置調整が極めて簡単であり、且つどのようなスペースにも自由にレイアウトできる遊技機独立島ベース支持台を開示している。その要旨は、遊技機が設置される独立島用のベース支持台であって、遊技機の背部に設けた掛止部が係合する係合部が、その後部に設けられており、遊技機の前面部分が固定される固定部が掛止部より前部側に設けられており、接地面に固定される固定手段が具備される、遊技機が設置される独立島用のベース支持台である。
【０００７】
しかしながら、該発明は遊技台１台に対して１個のベース支持台を用意し、各遊技機ごとに水平調整するもので、遊技機の垂直方向のレベル出及び垂直方向のレベル出しを、１台１台行う必要がある。このため、実質的には、従来から行ってきている作業と変わりはなく、依然としてベース支持台、支柱の配置等遊技機島の設置には問題が残る。
【０００８】
【発明が解決しようとする課題】
本発明は前記課題に鑑みてなされたもので、本発明は、遊技機の設置調整が極めて簡単であり、どのようなスペースにも自由にレイアウトでき、作業時間が短縮でき、しかも熟練した技術を必要としない、遊技機島用の支持台を提供しようとするものである。
【０００９】
【課題を解決するための手段】
上記課題を解決するために、本発明は、遊技機の載置が可能な長さを有し、一対が平行に配置されるベースユニットと、前記ベースユニット間を連結する一対の補強枠と、前記ベースユニットを接続して所定の長さにする継ぎ手と、前記ベースユニットに下端が支持されて立設される支柱と、前記補強枠の下方に配置され、床面にアンカー固定されるアンカーベースとを有する遊技機島の支持台であって、前記支柱は、２本の垂直方向の柱と水平方向のフレームとをコの字状に組み合わせたものであり、前記ベースユニットは、内面側の対向位置に、前記垂直方向の柱がそれぞれ挿入される一対の切欠状受入部を備え、前記補強枠の下端に下方から螺着され、下端が前記アンカーベースの上端に当接され、開放された上方側からの回動により、前記補強枠が上下方向に移動するアジャストボルトを有し、前記アジャストボルトの回動による前記補強枠の上下移動に伴って、前記ベースユニットを上下方向に移動させる。
【００１０】
前記ベースユニットは、コの字状金属部材から構成することができる。前記アンカーベースに、床面に挿入して支持台を固定するためのアンカーボルトを備ることができる。前記支持台は、複数の前記ベースユニットを接続して伸張し、少なくとも、遊技機複数台を支持するだけの長さを有するようにすることができる。
【００１１】
前記ベースユニットには、トランス台を設けることができる。前記ベースユニットには、垂直に立設する支柱を受け入れるための欠切を有する受入部を備えることができる。
【００１３】
前記補強枠は、前記ベースユニットと垂直方向に接続され、前記補強枠の両端部に前記アジャストボルトを配置することができる。
【００１４】
【発明の実施の形態】
本発明を実施形態に基づいて説明する。遊技機島の一部正面を図１に示した。遊技機島１は、遊技機３を複数並列したものである。遊技機の上方に、上部ユニット２が設けられる。遊技機３の下方に、下部ユニット５が設けられる。各遊技機の間隙には、装飾板４が設けられる。
【００１５】
遊技機島は、支持台及び支柱からなる支持台に遊技機を配置して組み立てられる。本発明では、遊技機島を形成するためのベースを用意し、該ベースの水平出しを行った上で、垂直方向の支柱を配置するという手順をとる。このような手順をとることにより、ベースを設置する際に水平出しを行っておけば、支柱を配置する際に、その水平方向、垂直方向のレベル出しを一々行う必要がない。
【００１６】
遊技機島の側面の断面を図２に示した。遊技機島１は、基本的には、水平方向のベース８と垂直方向の支柱９との組み合わせからなる支持台に支えられている。支持台には、遊技機３がほぼ中心に据えられ、遊技機の上方には上部ユニット２が設けられ、幕板１１、玉置棚１０、ランプパネル６が構成され、そして、遊技機３の下方には、下部ユニット８が設けられ、下部ユニット８は膳板７、腰板１４を保持している。その他、各遊技機から排出されるパチンコ玉を回収するための回収溝１２が設けられている。
【００１７】
遊技機島の支持台は、基本的には、水平方向の構成要素であるベースと垂直方向の構成要素である支柱とからなる。ベースは、複数のベースユニット、ベースユニットを接続するベース継ぎ手、支持台を補強する補強枠及びアンカーベースとからなる。支柱は、垂直方向の２本の柱と１本の水平方向のフレームとを組み合わせたコの字状の金属部材である。
【００１８】
ベースは、遊技機島支持台の水平方向の基本構成要素である。ベースは、ベースユニットをベース継ぎ手を介して複数接続して形成される。ベースユニットに直角方向に補強枠をベースユニットに取り付けて、支持台の基本骨格を形成し、支持台を構成する
【００１９】
図４に、支持台の基本構成を示した。ベース１３は、複数のベースユニット２０、２１等を接続して形成される。ベース１３を形成するには、長手方向にベースユニットを２列に配置し、逐次接続していく。即ち、ベースユニット２０、２１等を接続し、少なくとも、遊技機複数台を載置できる長さとする。ベースユニットの接続に際しては、ベース継ぎ手２４を使用する。即ち、ベース継ぎ手２４をベースユニット２０、２１等の金属部材の内側に配置し、それぞれのベースユニットをネジ止めする。
【００２０】
図の手前に配置されているベースユニット２０と図の後方に配置されているベースユニット２１は、左右対称に製作してもよいが、部材の効率化の点からは、同一寸法のものとするのがよい。ベースユニット２個からなる１組のベースユニットに２台の遊技機が載置できるように、ベースユニットの寸法を定めている。２列に配列するベースユニットの間隔は、一列の遊技機を設置する巾又は両面２列に遊技機を設置するスペースがとられる。
【００２１】
ベースユニットは、基本的には、コの字形状の金属製部材を使用する。コの字形状ととることにより、軽量の割に強度を保持することができるという特徴がある。ベースユニット２０、２１には、垂直方向に設ける支柱２２を受け入れるための四角の欠切をもつ支柱受入部３４が２個設けられる。そのほか、ベースユニット２０、２１には、ベース補強枠２５、ベース継ぎ手２４等を接続するための係止孔が設けられる。また、補強枠２５には、アンカーベース３０と接続するための接合部２３が設けられる。
【００２２】
ベース補強枠２５は、支柱受入部３４の内側に取り付けられる。ベース補強枠２５には、ベースの水平出しの調整を行うアジャストボルト２６が設けられる。ベース補強枠２５にアンカーベース３０が取り付けられる。アンカーベース３０には、ベース１３を床面に固定する為のアンカーボルト３５を挿入する孔２９があけられる。
【００２３】
１組のベースユニット２０、２１を並べ２本のベース補強枠２５を直角方向に差し渡して互いに固定する。このようにして組み立てたベースユニットの組を、ベース継ぎ手２４を介して接続していく。最終的には、支持台の長さは、遊技機島の長さになる。各ベース補強枠２５にアンカーベース３０を、アンカーボルト用の係止孔２９が互いに内側を向くように配置し取り付ける。アンカーベース３０の中心には中心を示すマーク２８が付けられている。床面に前もって中心線を引いておき、この中心線とアンカーベース３０の中心マーク２８とが一致するように、各ベースユニットの設置位置を調節する。
【００２４】
中心が揃ったところで、アンカーベース３０にアンカーボルト３５を挿入し、各ベースユニットを固定する。各ベースユニットが固定されると、支持台全体が固定される。支持台全体が固定されたところで、図７（ａ）の様に補強枠２５とアンカーベース３０の間にあるアジャストボルト２６を調節して支持台の水平出しを行う。このアジャストボルト２６の調整による水平出しは、この後の遊技機島全体の組み立てに重要な役割を果たす。アジャストボルト２６の頭には、調節のためネジ回しで回転可能に、＋又は−の溝が設けられている。従来は、遊技機１台分ずつ支持台の水平出しを行っていたので、全機台について水平出しを行う必要があり、この作業は時間と技術を要するものであった。しかし、本発明の支持台組み立て法をとることにより、最初に全遊技機を載置する支持台の水平出しが行われるので、遊技機を設置する際に、改めて水平出しの調整を行う必要がない。
【００２５】
また、支柱２２を取り付けるに際しても、従来は、支持柱を１本ずつ立てていたので、支持柱を前後左右の４方向の垂直出しを行う必要があったが、本発明においては、支柱が２本の垂直方向の柱３１、３３と水平方向のフレーム３２とがコの字状に組み合わされた支柱となっているので、支柱をベースユニット２０、２１に取り付けるに際しては、支柱２２をベースユニット２０、２１の受入部３４に挿入し固定するだけで、垂直出しが済んでしまい、支持台の組み立て作業が、極めて簡易、かつ容易になる。
【００２６】
支持台の水平出しが行われたところで、支柱２２をベースユニット２０、２１に取り付ける。支柱の取り付けは、ベースユニット２０、２１受入部３４に支柱を挿入し、ネジ止めをすることにより行う。
【００２７】
図７に、ベースユニット２０、２１、補強枠２５、ベースユニット継ぎ手２４、支柱２２及びアンカーベース３０から遊技機島支持台を組み立てた状態の一部を示した。図７（ｃ）は、組み立て斜視図である。図７（ａ）は、アンカーベース３０に補強枠２５を取り付けた状態を示す断面図である。アンカーベース３０は既に、床面に固定されている。アンカーベース３０に補強枠２５を取り付け、アジャストボルト２６で、ベースの水平出しを行う。水平出しを行った後、アンカーベース３０と補強枠２５はネジ３７でネジ止めされ、固定される。
【００２８】
図７（ｂ）は、更に、支柱２２をベースに取り付けた状態を示す断面図である。ベースユニット２０、２１に設けられた支柱受入部３４に支柱２２の柱部分３１、３３が差し込まれ、フレーム３２がベース２０、２１に差し渡されて取り付けられる。支柱２２は、図７（ｂ）に示したように、補強枠２５とネジ３８、３９で止められてベースに固定される。
【００２９】
ベース１３の上には回収樋が設けられる。回収樋を設ける状況を図３に示した。補強枠２５に回収樋取付のための支持支柱１８を設け、該支持支柱１８の上に樋部材２７が設けられる。樋部材２７を複数接続することにより回収樋１７が形成される。回収樋１７は、各遊技機から排出されるパチンコ玉を回収するためのものである。回収樋は還元機の接続され、パチンコ玉は各遊技機から回収樋を経由して還元機に集められる。還元機に集められたパチンコ玉は、還元機から再び各遊技機に分配供給される。
【００３０】
回収樋等を取り付けた状態を側面から見た断面図が、図５である。ベース１３に支柱２２等が取り付けられて支持台を形成している。支持支柱１８が支持台１３に設けられ、該支持支柱１８に樋部材２７が載置されている。樋部材２７が複数接続されて回収樋１７を形成する。樋部材の（図面に向かって）左右にドブ壁１９を設ける。
【００３１】
ベースユニットに、トランスを置くためのトランス台を設けることができる。トランスは、遊技機を稼働させるための電源を供給するもので、主として遊技機の作動を安定させるための電圧を一定に保持するためのものである。トランス台３６をベースユニット１５に取り付けた状況を図６に示した。
【００３２】
以上、本発明を遊技機２台分の支持台を中心に説明してきたが、これは、例示的に示したもので、実際は、これらの支持台が接続されて、遊技機島を形成するものであることはいうまでもない。
【００３３】
本発明に使用する、各部材は金属製である。そのため、前もって厳密な寸法管理の下で、精度高く各部材は製作される。それに対応して、遊技機島を組み立てるに際しても、すでに、組み合わされる箇所に、適切な加工が施されているので、容易に手間を掛けることなく組み立ての作業を効率よくを進めることができる。
【００３４】
【発明の効果】
本発明の特徴は、あらかじめ遊技機島全体の長さに及ぶ支持台を設置し、その支持台の水平方向のレベル出しを行い、その後に、垂直方向の支持台構成要素である支柱をベースユニットの欠切を有する受入部に挿入固定することにより、支柱の垂直方向のレベル出しの必要が無く、従って、遊技機、上部ユニットや下部ユニット等を支持台に配置、設置しても、遊技機自身の水平方向及び垂直方向のレベルだしも必要が無いという点にある。それに伴って、遊技機島の組み立てが容易になり、遊技機島組み立ての作業時間が短縮され、しかも、熟練した技術も必要がないという効果を奏する。
【００３５】
また、遊技機を配置設置する前に、支持台と支柱からなる支持台の水平方向及び垂直方向のレベル出しを終えているので、遊技機の設置が終われば、遊技機の設置調整も完了するので、遊技機設置調整の能率がよいという効果を奏する。更に、遊技機島を他の場所に移転する場合、従来の、支持台構造では遊技機島を解体廃棄する以外に再利用の途は無かったのであるが、本発明の支持台は、解体、再構成が容易にでき、しかも、レベル出しも容易であるため、遊技機島の移転も極めて簡単となり、資源有効利用の観点からも、その効果は大きいものがある。
【図面の簡単な説明】
【図１】遊技機島の一部正面を示す図である
【図２】遊技機島の側面の断面を示す図である
【図３】支持台組み立ての状況を示す図である
【図４】支持台の構成を示す図である
【図５】支持台側面の断面を示す図である
【図６】トランス台を示す図である
【図７】遊技機島支持台を組み立てた状態を示す図である
【符号の説明】
１                    遊技機島
２                    上部ユニット
３                    遊技機
４                    装飾板
５                    下部ユニット
６                    ランプパネル
７                    膳板
８                    支持台
９                    支柱
１０                  玉置棚
１１                  幕板
１２                  ドブ溝
１３                  支持台
１４                  腰板
１５                  ベースユニット
１６                  保持部
１７                  回収樋
１８                  支持支柱
１９                  ドブ壁
２０、２１            ベースユニット
２２                  支柱
２３                  接合部
２４                  ベース継ぎ手
２５                  補強枠
２６                  アジャストボルト
２７                  樋部材
２８                  中心マーク
２９                  ネジ孔
３０                  アンカーベース
３１、３３            支柱の柱部
３２                  支柱のフレーム
３４                  受入部
３５                  アンカーボルト
３６                  トランス台
３７、３８、３９      ボルト
【図１】
0004275879.tif 000002
【図２】
0004275879.tif 000003
【図３】
0004275879.tif 000004
【図４】
0004275879.tif 000005
【図５】
0004275879.tif 000006
【図６】
0004275879.tif 000007
【図７】
0004275879.tif 000008